(57)【特許請求の範囲】
【請求項１】
制御値に基づいて動作する装置に搭載される表示装置であって、
アイコンが表示される表示部と、
前記表示部への接触位置を検出する検出部と、
前記検出部が前記アイコン内で前記接触位置を検出することに応じて、前記表示部に前記制御値を表示させる制御部と
を備え、
前記表示部には、前記制御値に対応する標識がさらに表示され、
前記標識は、前記検出部が前記接触位置を検出するための検出領域を含み、
前記検出部が前記アイコン内で検出した前記接触位置を前記検出領域でさらに検出することに応じて、前記制御部は、前記検出領域を含む標識に対応する制御値を前記表示部に表示させる、表示装置。
【請求項２】
前記制御値は、標準値を有し、
前記制御部は、前記標準値と異なる値の設定される制御値を前記表示部に表示させる、請求項１に記載の表示装置。
【請求項３】
前記標識は、前記検出部が前記接触位置を検出するための画像領域をさらに含み、
前記検出部が前記アイコン内で検出した前記接触位置を前記画像領域でさらに検出することに応じて、前記制御部は、前記画像領域を含む標識に対応する制御値の設定画面を前記表示部に表示させ、
前記設定画面は、ユーザーが前記制御値を変更可能な画面である、請求項１または請求項２に記載の表示装置。
【請求項４】
前記制御値が設定し得ない禁則である場合、前記制御部は、前記アイコン内で検出された前記接触位置が前記検出領域に位置することに応じて、前記検出領域を含む標識に対応する制御値の設定画面を前記表示部に表示させる、請求項１から請求項３のいずれか１項に記載の表示装置。
【請求項５】
前記表示部は、前記検出部が前記接触位置を検出するための開始領域を含み、
前記検出部が前記アイコン内で検出した前記接触位置を前記開始領域でさらに検出することに応じて、前記制御部は、前記装置を動作させる、請求項１から請求項４のいずれか１項に記載の表示装置。
【請求項６】
請求項１から請求項５のいずれか１項に記載の表示装置と、
設定される前記制御値に基づいてシートに画像を形成する画像形成部と
を備える、画像形成装置。
【請求項７】
制御値に基づいて動作する装置に搭載され、表示部を備える表示装置が実行する表示方法であって、
アイコンを表示する手順と、
前記表示部への接触位置を検出する手順と、
前記アイコン内で前記接触位置が検出されることに応じて、前記表示部に前記制御値を表示させる手順と、
前記制御値に対応する標識であって、前記接触位置を検出するための検出領域を含む前記標識を、前記表示部に表示させる手順と、
前記アイコン内で検出された前記接触位置が前記検出領域でさらに検出されることに応じて、前記検出領域を含む標識に対応する制御値を前記表示部に表示させる手順と
を含む、表示方法。
【発明の詳細な説明】
【技術分野】
【０００１】
本発明は、表示装置、画像形成装置、及び表示方法に関する。
【背景技術】
【０００２】
近年、画像形成装置に対して、実行する機能の多様化が求められている。制御値に基づいて機能を実行する画像形成装置において、実行する機能の多様化に伴い、設定される制御値の種類が増加している。従って、タッチパネルを介して制御値を確認する画像形成装置において、同時に複数の種類の制御値がタッチパネルに表示されると、制御値の表示されるサイズが小さくなる。その結果、ユーザーにとって、制御値の視認性が悪い。また、ユーザーがタッチパネルの画面を切り替えて複数の種類の制御値を確認する場合、画面を切り替える動作は、ユーザーにとって煩わしい。
【０００３】
そこで、特許文献１に記載の情報処理装置は、複数の設定項目に対して設定される設定値（制御値）を、設定値セットとして記憶する。情報処理装置は、印刷ジョブの設定値を設定した後で、設定値の変更が要求された場合に、現在の印刷ジョブの設定値と、記憶された設定値セットとの差分を抽出する。情報処理装置が備える設定変更画面には、抽出された差分に基づいて、現在の印刷ジョブの設定値の変更候補が表示される。従って、情報処理装置は、現在の印刷ジョブの設定値のうち、変更される可能性の高い設定値の変更候補を優先して設定変更画面に表示する。その結果、ユーザーにとって設定値の変更が容易になる。
【先行技術文献】
【特許文献】
【０００４】
【特許文献１】特開２０１１−００２５０６号公報
【発明の概要】
【発明が解決しようとする課題】
【０００５】
しかしながら、特許文献１に記載の情報処理装置には、過去の印刷ジョブの設定値と、現在の印刷ジョブの設定値との差分に基づいて、現在の印刷ジョブの設定値の変更候補が設定変更画面に表示される。従って、ユーザーは、情報処理装置に設定される、現在の印刷ジョブの設定値を確認できない。
【０００６】
本発明は、上記課題に鑑みてなされたものであり、装置に設定される制御値を確認する際の、ユーザーにとっての煩わしさを軽減できる表示装置、画像形成装置、及び表示方法を提供することを目的としている。
【課題を解決するための手段】
【０００７】
本発明の第１の観点によれば、表示装置は、制御値に基づいて動作する装置に搭載される。表示装置は、表示部と、検出部と、制御部とを備える。表示部には、アイコンが表示される。検出部は、前記表示部への接触位置を検出する。制御部は、前記検出部が前記アイコン内で前記接触位置を検出することに応じて、前記表示部に前記制御値を表示させる。前記制御部は、前記検出部が前記アイコン内で検出された前記接触位置の移動を検出することに応じて、前記表示部に表示される前記制御値を変更する。
【０００８】
本発明の第２の観点によれば、本発明の第１の観点に係る表示装置と、画像形成部とを備える。画像形成部は、設定される前記制御値に基づいてシートに画像を形成する。
【０００９】
本発明の第３の観点によれば、表示方法は、制御値に基づいて動作する装置に搭載され、表示部を備える表示装置が実行する。表示方法は、アイコンを表示する手順と、前記表示部への接触位置を検出する手順と、前記アイコン内で前記接触位置が検出されることに応じて、前記表示部に前記制御値を表示させる手順と、前記アイコン内で検出された前記接触位置の移動が検出されることに応じて、前記表示部に表示される前記制御値が変更される手順とを含む。
【発明の効果】
【００１０】
本発明によれば、装置に設定される制御値を確認する際の、ユーザーにとっての煩わしさを軽減できる。
【図面の簡単な説明】
【００１１】
【図１】本発明の実施形態１に係る表示装置を示すブロック図である。
【図２】本発明の実施形態１に係る表示装置の表示部を示す図である。
【図３】（ａ）本発明の実施形態１に係る表示装置の表示部に表示される制御値の一例を示す図である。（ｂ）本発明の実施形態１に係る表示装置の表示部に表示される制御値の他の一例を示す図である。
【図４】（ａ）本発明の実施形態１に係る表示部の画像領域で検出される接触位置を示す図である。（ｂ）本発明の実施形態１に係る表示装置の表示部に表示される制御値の設定画面を示す。
【図５】（ａ）本発明の実施形態１に係る禁則の制御値に対応する検出領域で検出される接触位置を示す。（ｂ）本発明の実施形態１に係る禁則の制御値の設定画面を示す。
【図６】本発明の実施形態１に係る表示部の開始領域で検出される接触位置を示す。
【図７】本発明の実施形態１に係る表示装置の表示方法を示すフローチャートである。
【図８】本発明の実施形態２に係る画像形成装置の概略を示す図である。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
（実施形態１）
図１〜図３を参照して、本発明の実施形態１に係る表示装置１を説明する。図１は、表示装置１を示すブロック図である。図２は、表示部２０を示す。図３（ａ）は、表示部２０に表示される制御値２２０の一例を示す。表示装置１は、制御部１０と、表示部２０と、検出部としてのタッチパネル３０と、記憶部４０とを備える。表示装置１は、制御値２２０に基づいて動作する装置に搭載される。本実施形態において、装置が画像形成装置である場合を例に挙げて説明する。
【００１４】
表示部２０は、例えば、液晶ディスプレーである。表示部２０には、初期画面２００及びアイコン２０１が表示される。初期画面２００は、表示部２０に表示されるデフォルトの画面である。アイコン２０１は、画像形成装置が実行する機能の内容を、イラスト、図形、又は記号で表現し、表示部２０に表示される。本実施形態において、アイコン２０１は、画像形成装置が実行する複写機能をイラストにして表現している。また、本実施形態においてアイコン２０１は、表示部２０の左上に表示されている。
【００１５】
タッチパネル３０は、表示部２０へのユーザーの接触位置３１を検出する。本実施形態において、ユーザーがタッチパネル３０を介してユーザーの指でアイコン２０１を接触し、ユーザーがタッチパネル３０を接触しつつ指を移動させると、アイコン２０１は、指の移動と共に表示部２０内を移動する。
【００１６】
記憶部４０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）等の主記憶装置（例えば、半導体メモリー）、及び補助記憶装置（例えば、ハードディスクドライブ）を含む。ＲＯＭには、制御部１０によって実行される種々のコンピュータープログラムが記憶される。
【００１７】
制御部１０は、例えば、ＣＰＵ（Ｃｅｎｔｒａｌ  Ｐｒｏｃｅｓｓｉｎｇ  Ｕｎｉｔ）である。タッチパネル３０がアイコン２０１内で接触位置３１を検出することに応じて、制御部１０は、確認画面２０３並びに制御値２２０に対応する標識２１０ａ、２１０ｂ、２１０ｃ、２１０ｄ、及び２１０ｅを表示部２０に表示させる。
【００１８】
確認画面２０３は、ユーザーが、画像形成装置に設定される制御値２２０を確認するための画面である。標識２１０ａ〜２１０ｅのそれぞれは、制御値２２０の種類を区別するための目印であり、ユーザーから不可視状態で表示部２０に表示される。なお、標識２１０ａ〜２１０ｅのそれぞれは、ユーザーから可視状態で表示部２０に表示されてもよい。
【００１９】
タッチパネル３０がアイコン２０１内で検出した接触位置３１の移動を検出することに応じて、制御部１０は、表示部２０に表示される制御値２２０と異なる制御値を表示部２０に表示させる。以下、表示部２０に表示される制御値２２０の詳細について説明する。なお、本明細書において、接触位置３１の移動とは、ユーザーがタッチパネル３０を接触する状態で、接触位置３１をスライドさせることである。
【００２０】
本実施形態において、標識２１０ａは、用紙に形成される画像の色に関する制御値に対応する。標識２１０ｂは、画像を形成される用紙の紙質に関する制御値に対応する。標識２１０ｃは、用紙に形成される画像の拡大又は縮小に関する制御値に対応する。標識２１０ｄは、用紙の搬送される方向に関する制御値に対応する。標識２１０ｅは、用紙１枚に対して形成される画像の個数に関する制御値に対応する。
【００２１】
標識２１０ａは、検出領域２１１ａを含む。標識２１０ｂは、検出領域２１１ｂを含む。標識２１０ｃは、検出領域２１１ｃを含む。標識２１０ｄは、検出領域２１１ｄを含む。標識２１０ｅは、検出領域２１１ｅを含む。検出領域２１１ａ〜２１１ｅのそれぞれは、タッチパネル３０が接触位置３１を検出するための領域である。本実施形態において、検出領域２１１ａ〜２１１ｅのそれぞれは、ユーザーからは不可視である状態で表示部２０に表示される。なお、検出領域２１１ａ〜２１１ｅのそれぞれは、ユーザーからは可視である状態で表示部２０に表示されてもよい。
【００２２】
タッチパネル３０がアイコン２０１内で検出した接触位置３１を、いずれかの検出領域２１１ａ〜２１１ｅでさらに検出することに応じて、制御部１０は、制御値２２０を表示部２０に表示させる。この場合、表示部２０には、接触位置３１の検出されたいずれかの検出領域２１１ａ〜２１１ｅを含む標識２１０ａ〜２１０ｅに対応する制御値２２０が表示される。
【００２３】
具体的には、図３（ａ）において、アイコン２０１内で検出された接触位置３１は、検出領域２１１ａに位置する。つまり、タッチパネル３０は、アイコン２０１内で検出した接触位置３１を検出領域２１１ａでさらに検出する。従って、制御部１０は、検出領域２１１ａを含む標識２１０ａに対応する制御値２２０を表示部２０に表示させる。上述したように、標識２１０ａは、用紙に形成される画像の色に関する制御値２２０に対応する。その結果、表示部２０には、用紙に形成される画像の色に関する制御値２２０が表示される。
【００２４】
図３（ｂ）は、表示部２０に表示される制御値２２０の他の一例を示す。図３（ｂ）では、図３（ａ）で検出された接触位置３１が移動して、検出領域２１１ｃに位置する。つまり、ユーザーは、タッチパネル３０を接触する状態を保ちつつユーザーの指を検出領域２１１ｃまでスライドさせる。タッチパネル３０は、アイコン２０１内で検出した接触位置３１を検出領域２１１ｃでさらに検出する。従って、制御部１０は、検出領域２１１ｃを含む標識２１０ｃに対応する制御値２２０を表示部２０に表示させる。上述したように、標識２１０ｃは、用紙に形成される画像の拡大又は縮小に関する制御値２２０に対応する。その結果、表示部２０には、用紙に形成される画像の拡大又は縮小に関する制御値２２０が表示される。
【００２５】
以上、図１〜図３を参照して説明したように、本実施形態によれば、アイコン２０１内で接触位置３１が検出されることに応じて、表示部２０に制御値２２０が表示される。また、タッチパネル３０がアイコン２０１内で検出した接触位置３１の移動をさらに検出することに応じて、制御部１０は、接触位置３１の移動した位置に基づく制御値２２０を表示部２０に表示させる。従って、ユーザーは、タッチパネル３０を介してユーザーの指でアイコン２０１を接触しつつ、ユーザーの指を移動させることで表示部２０に表示される制御値２２０を変更できる。その結果、容易な操作で、制御値２２０が表示部２０に表示され、ユーザーが画像形成装置に設定される制御値２２０を確認する際の煩わしさが軽減される。
【００２６】
次に、図４を参照して、制御値２２０の変更について説明する。図４（ａ）は、画像領域２１２ｃで検出される接触位置３１を示す。図４（ｂ）は、表示部２０に表示される設定画面２０５を示す。標識２１０ａは、画像領域２１２ａをさらに含む。標識２１０ｂは、画像領域２１２ｂをさらに含む。標識２１０ｃは、画像領域２１２ｃをさらに含む。標識２１０ｄは、画像領域２１２ｄをさらに含む。標識２１０ｅは、画像領域２１２ｅを含む。
【００２７】
画像領域２１２ａ〜２１２ｅのそれぞれは、タッチパネル３０が接触位置３１を検出するための領域である。本実施形態において、画像領域２１２ａ〜２１２ｅは、ユーザーから可視状態で表示される。画像領域２１２ａは、標識２１０ａに含まれる。従って、画像領域２１２ａは、例えば、用紙に形成される画像の色に関する制御値を示す画像、文字、又は図形で表示される。なお、画像領域２１２ａ〜２１２ｅのそれぞれは、ユーザーからは不可視である状態で表示されてもよい。
【００２８】
タッチパネル３０が、アイコン２０１内で検出した接触位置３１を、いずれかの画像領域２１２ａ〜２１２ｅでさらに検出することに応じて、制御部１０は、制御値２２０の設定画面２０５を表示部２０に表示させる。この場合、接触位置３１の検出されたいずれかの画像領域２１２ａ〜２１２ｅに対応する制御値２２０の設定画面２０５が表示部２０に表示される。設定画面２０５は、ユーザーが制御値２２０を変更可能な画面である。
【００２９】
具体的には、図４（ａ）において、アイコン２０１内で検出された接触位置３１は移動し、画像領域２１２ｃに位置する。つまり、タッチパネル３０は、アイコン２０１内で検出した接触位置３１を画像領域２１２ｃで検出する。従って、制御部１０は、検出領域２１１ｃを含む標識２１０ｃに対応する制御値２２０の設定画面２０５を表示部２０に表示させる。その結果、表示部２０には、用紙に形成される画像の拡大又は縮小に関する制御値２２０の設定画面２０５が表示される。
【００３０】
なお、ユーザーが設定画面２０５で制御値２２０を変更した後、表示部２０に表示される画面は変更される。制御値２２０が変更された後に表示部２０に表示される画面は、例えば、初期画面２００であってもよいし、確認画面２０３であってもよい。制御値２２０が変更された後に確認画面２０３が表示部２０に表示される場合は、変更された制御値２２０の確認画面２０３が表示部２０に表示される。
【００３１】
次に、図５を参照して制御値２２０が禁則である場合について説明する。図５（ａ）は、禁則の制御値２２０に対応する検出領域２１１ｅで検出される接触位置３１を示す。図５（ｂ）は、禁則の制御値２２０の設定画面２０５を示す。本実施形態において、標識２１０ｅに対応する制御値２２０は、設定し得ない禁則である。
【００３２】
タッチパネル３０が、アイコン２０１内で検出した接触位置３１を、禁則の制御値２２０に対応するいずれかの検出領域２１１ａ〜２１１ｅでさらに検出することに応じて、制御部１０は、設定画面２０５を表示部２０に表示させる。この場合、表示部２０には、禁則の制御値２２０に対応するいずれかの検出領域２１１ａ〜２１１ｅを含む、いずれかの標識２１０ａ〜２１０ｅに対応する制御値２２０の設定画面２０５が表示される。
【００３３】
具体的には、図５（ａ）において、アイコン２０１内で検出された接触位置３１は移動し、検出領域２１１ｅに位置する。つまり、タッチパネル３０は、アイコン２０１内で検出した接触位置３１を禁則の制御値２２０に対応する検出領域２１１ｅでさらに検出する。従って、図５（ｂ）に示すように、制御部１０は、検出領域２１１ｅを含む標識２１０ｅに対応する制御値２２０の設定画面２０５を表示部２０に表示させる。上述したように、標識２１０ｅは、用紙１枚に対して形成される画像の個数に関する制御値２２０に対応する。その結果、表示部２０には、用紙１枚に対して形成される画像の個数に関する制御値２２０の設定画面２０５が表示される。
【００３４】
本実施形態によれば、ユーザーの接触位置３１が禁則の制御値２２０に対応するいずれかの検出領域２１１ａ〜２１１ｅで検出されることに応じて、禁則の制御値２２０を変更するための設定画面２０５が表示部２０に表示される。従って、ユーザーは、禁則の制御値２２０を禁則ではない値に変更することで、画像形成装置の動作を開始できる。その結果、ユーザーの制御値２２０の設定の間違いによる、画像形成装置の誤動作を抑制できる。
【００３５】
次に、図６を参照して開始領域２３０について説明する。図６は、開始領域２３０に位置する接触位置３１を示す。表示部２０は、開始領域２３０を含む。開始領域２３０は、タッチパネル３０が接触位置３１を検出するための領域である。タッチパネル３０が、アイコン２０１内で検出した接触位置３１を、開始領域２３０でさらに検出することに応じて、制御部１０は、画像形成装置を動作させる。本実施形態において、開始領域２３０は、ユーザーからは不可視である態で表示部２０に表示される。なお、開始領域２３０は、ユーザーからは可視である状態で表示部２０に表示されてもよい。
【００３６】
具体的には、図６において、アイコン２０１内で検出された接触位置３１は移動し、開始領域２３０に位置する。つまり、タッチパネル３０は、アイコン２０１内で検出した接触位置３１を開始領域２３０でさらに検出することに応じて、制御部１０は、ユーザーに確認及び／又は変更された制御値２２０に基づいて画像形成装置を動作させる。画像形成装置は動作することで、画像形成装置の有する機能を実行する。なお、タッチパネル３０が、アイコン２０１内で検出された接触位置３１を開始領域２３０で検出すると、制御部１０は、表示部２０に初期画面２００を表示させる。
【００３７】
タッチパネル３０が、接触位置３１をいずれかの検出領域２１１ａ〜２１１ｅで検出したあと、表示部２０のうち、検出領域２１１ａ〜２１１ｅではない位置で接触位置３１をさらに検出する場合について説明する。タッチパネル３０が検出領域２１１ａ〜２１１ｅではない位置で接触位置３１を検出すると、制御部１０は、表示部２０に表示される画面を変更させない。具体的には、本実施形態において、接触位置３１が開始領域２３０に位置するとき、タッチパネル３０は、検出領域２１１ｅを通過する接触位置３１を検出する。従って、表示部２０には、標識２１０ｅに対応する制御値２２０の確認画面２０３が表示されている。
【００３８】
本実施形態によれば、アイコン２０１内で検出された接触位置３１が開始領域２３０に位置することに応じて、画像形成装置は動作を開始する。従って、ユーザーは、アイコン２０１内で検出された接触位置３１を、開始領域２３０に移動させるまでに、画像形成装置に設定される制御値２２０を確認できる。その結果、ユーザーの制御値２２０の確認の抜け漏れによる、画像形成装置の誤動作を抑制できる。
【００３９】
次に、図１〜図４、図６、及び図７を参照して、表示装置１が実行する制御値２２０の表示方法について説明する。図７は、表示方法を示すフローチャートである。表示方法に従って、制御値２２０が表示部２０に表示される。表示方法は、ステップＳ１０１〜ステップＳ１１３を実行することによって、制御値２２０が表示部２０に表示される。具体的には次の通りである。
【００４０】
まず、表示部２０には、初期画面２００及びアイコン２０１が表示されている。ステップＳ１０１において、タッチパネル３０は、表示部２０に表示されるアイコン２０１内で接触位置３１を検出する。ステップＳ１０３において、制御部１０は、確認画面２０３及び接触位置３１に対応する制御値２２０を表示部２０に表示させる。具体的には、アイコン２０１内で検出された接触位置３１がいずれかの検出領域２１１ａ〜２１１ｅで検出されると、制御部１０は、制御値２２０を表示部２０に表示させる。このとき、表示部２０に表示される制御値２２０は、接触位置３１の位置するいずれかの検出領域２１１ａ〜２１１ｅを含む標識２１０ａ〜２１０ｅに対応する。
【００４１】
ステップＳ１０５において、制御部１０は、タッチパネル３０がアイコン２０１内で検出した接触位置３１をさらに検出するか否かを判定する。ステップＳ１０５において否定的判定（ＮＯ）がされた場合、処理は、ステップＳ１０１に進む。つまり、タッチパネル３０が、アイコン２０１内で検出された接触位置３１を検出しなくなると、制御部１０は、表示部２０に再び初期画面２００を表示させる。制御値２２０は、表示部２０から非表示になる。ステップＳ１０５において肯定的判定（ＹＥＳ）がされた場合、処理はステップＳ１０７に進む。
【００４２】
ステップＳ１０７において、制御部１０は、ステップＳ１０５でタッチパネル３０の検出した接触位置３１が、いずれかの画像領域２１２ａ〜２１２ｅに位置するか否かを判定する。ステップＳ１０７において肯定的判定（ＹＥＳ）がされた場合、処理は、ステップＳ１０９に進む。ステップＳ１０９において、制御部１０は、接触位置３１の位置するいずれかの画像領域２１２ａ〜２１２ｅを含む、いずれかの標識２１０ａ〜２１０ｅに対応する制御値２２０を設定可能な設定画面２０５を表示部２０に表示させる。ステップＳ１０７において否定的判定（ＮＯ）がされた場合、処理は、ステップＳ１１１に進む。
【００４３】
ステップＳ１１１において、タッチパネル３０は、ステップＳ１０５で検出された接触位置３１が開始領域２３０に位置するか否かを判定する。ステップＳ１１１において否定的判定（ＮＯ）がされる場合、つまり、接触位置３１が開始領域２３０に位置していない場合、処理は再びステップＳ１０３に進む。ステップＳ１１１において、制御部１０は、接触位置３１の位置に対応する制御値２２０を表示部２０に表示させる。ステップＳ１１１において肯定的判定（ＹＥＳ）がされる場合、処理はステップＳ１１３に進む。
【００４４】
ステップＳ１１３において、制御部１０は、画像形成装置の動作を開始させる。つまり、タッチパネル３０がアイコン２０１内で検出した接触位置３１が開始領域２３０に位置することに応じて、制御部１０は、画像形成装置を動作させる。
【００４５】
本実施形態において、表示装置１を搭載する装置が画像形成装置である場合を例にあげて説明した。従って、図７で説明したステップＳ１１３において、制御部１０は、画像形成装置に動作を開始させた。ただし、表示装置１を搭載する装置が他の装置であれば、タッチパネル３０が開始領域２３０に位置する接触位置３１を検出することに応じて、制御部１０は、他の装置に設定される制御値に基づいて、他の装置を動作させる。
【００４６】
（実施形態２）
図１及び図８を参照して本発明の実施形態２に係る画像形成装置２について説明する。図８は、画像形成装置２を示す。画像形成装置２は、例えば、複写機、プリンター、ファクシミリ、又は複合機である。複合機は、例えば、複写機、プリンター、及びファクシミリのうち少なくとも２つの機器を備える。
【００４７】
画像形成装置２は、制御部１０と、表示部２０と、タッチパネル３０と、記憶部４０と、原稿搬送部１００と、画像読取部１１０と、収納部１２０と、搬送部１３０と、画像形成部１４０と、定着部１５０と、排出部１６０とを備える。用紙Ｔは、シート搬送方向に沿って画像形成装置２の内部を搬送される。
【００４８】
制御部１０は、実施形態１に係る制御部１０として機能し、表示部２０は、実施形態１に係る表示部２０として機能し、タッチパネル３０は、実施形態１に係るタッチパネル３０として機能し、記憶部４０は、実施形態１に係る記憶部４０として機能する。従って、制御部１０、表示部２０、タッチパネル３０、及び記憶部４０は、実施形態１に係る表示装置１を構成する。
【００４９】
原稿搬送部１００は、画像読取部１１０に向けて原稿を搬送する。画像読取部１１０は、原稿の画像を読み取って画像データを生成する。収納部１２０は用紙Ｔを収納する。収納部１２０は、カセット１２１及び手差しトレイ１２３を含む。カセット１２１は用紙Ｔを積載する。用紙Ｔは、カセット１２１又は手差しトレイ１２３から搬送部１３０に送り出される。用紙Ｔは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００５０】
制御部１０は、画像形成装置２の各要素を制御する。具体的には、制御部１０が、記憶部４０に格納されたコンピュータープログラムを実行することにより、表示部２０、タッチパネル３０、原稿搬送部１００、画像読取部１１０、収納部１２０、搬送部１３０、画像形成部１４０、及び定着部１５０を制御する。制御部１０は、例えば、ＣＰＵ（Ｃｅｎｔｒａｌ  Ｐｒｏｃｅｓｓｉｎｇ  Ｕｎｉｔ）である。タッチパネル３０は、例えば、表示部２０の表示面上に配置される。
【００５１】
搬送部１３０は、画像形成部１４０に用紙Ｔを搬送する。画像形成部１４０は、図１に示すように、感光体ドラム１４１、帯電部１４２、露光部１４３、現像部１４４、転写部１４５、クリーニング部１４６、及び除電部１４７を含む。画像形成部１４０は、次のようして用紙Ｔに画像を形成（印刷）する。
【００５２】
帯電部１４２は感光体ドラム１４１の表面を帯電する。露光部１４３は、画像読取部１１０によって生成された画像データ又は記憶部４０に記憶された画像データに基づく光を感光体ドラム１４１の表面に照射する。その結果、感光体ドラム１４１の表面には画像データに対応した静電潜像が形成される。
【００５３】
現像部１４４は、感光体ドラム１４１の表面に形成された静電潜像を現像し、感光体ドラム１４１の表面にトナー像を形成する。用紙Ｔが感光体ドラム１４１と転写部１４５との間に供給されると、転写部１４５は用紙Ｔにトナー像を転写する。クリーニング部１４６は、感光体ドラム１４１の表面に残留しているトナーを除去する。除電部１４７は、感光体ドラム１４１の表面の残留電荷を除去する。
【００５４】
トナー像が転写された用紙Ｔは定着部１５０に向けて搬送される。定着部１５０は、用紙Ｔを加熱及び加圧して、用紙Ｔにトナー像を定着させる。画像が定着された用紙Ｔは排出部１６０に向けて搬送される。排出部１６０は用紙Ｔを排出する。
【００５５】
以上、図１及び図８を参照して説明したように、実施形態２によれば、実施形態２の画像形成装置２は、図１〜図７を参照して説明した実施形態１と同様の表示装置１を備える。従って、実施形態２では、実施形態１と同様の効果を奏する。
【００５６】
以上、図１〜図８を参照して、実施形態１及び実施形態２が説明された。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５７】
（１）図３〜図６を参照して説明したように、表示部２０には、画像形成装置に設定される全ての制御値２２０に対応する標識２１０ａ〜２１０ｅが表示された。ただし、制御値２２０は標準値を有してもよい。この場合、例えば、制御部１０は、標準値と異なる値の設定される制御値２２０に対応する標識のみを表示部２０に表示させてもよい。つまり、制御部１０は、標準値と異なる値の設定される制御値２２０のみを表示部２０に表示させる。従って、ユーザーは標準値と異なる値の設定される制御値２２０のみを確認できる。その結果、制御値２２０を確認する際のユーザーにとっての負荷が軽減される。
【００５８】
（２）図５を参照して説明したように、制御値２２０が禁則である場合の画像領域２１２ａ〜２１２ｅのそれぞれは、禁則でない場合の画像領域２１２ａ〜２１２ｅのそれぞれと同じ表示であった。ただし、禁則である場合の画像領域２１２ａ〜２１２ｅのそれぞれは、目立つように表示されてもよい。例えば、禁則である場合のいずれかの画像領域２１２ａ〜２１２ｅと、禁則でない場合のいずれかの画像領域２１２ａ〜２１２ｅとの表示色を変更する。従って、禁則である場合のいずれかの画像領域２１２ａ〜２１２ｅがユーザーの目に留まりやすい。その結果、ユーザーは、優先的に禁則の制御値２２０の内容を確認できる。
【００５９】
（３）図３〜図６を参照して説明したように、表示部２０には、５個の標識２１０ａ〜２１０ｅが表示された。ただし、表示部２０に表示される標識の個数は、単数であってもよいし、５つ以外の複数の個数であってもよい。
【産業上の利用可能性】
【００６０】
本発明は、表示装置、及び表示装置を搭載する画像形成装置の分野に利用可能である。
【符号の説明】
【００６１】
１        表示装置
２０      表示部
２０１    アイコン
２０５    設定画面
２１０ａ  標識
２１０ｂ  標識
２１０ｃ  標識
２１０ｄ  標識
２１０ｅ  標識
２１１ａ  検出領域
２１１ｂ  検出領域
２１１ｃ  検出領域
２１１ｄ  検出領域
２１１ｅ  検出領域
２１２ａ  画像領域
２１２ｂ  画像領域
２１２ｃ  画像領域
２１２ｄ  画像領域
２１２ｅ  画像領域
２２０    制御値
２３０    開始領域
３０      タッチパネル
３１      接触位置
【図１】
0006365293.tif 000002
【図２】
0006365293.tif 000003
【図３】
0006365293.tif 000004
【図４】
0006365293.tif 000005
【図５】
0006365293.tif 000006
【図６】
0006365293.tif 000007
【図７】
0006365293.tif 000008
【図８】
0006365293.tif 000009